(57)【要約】【課題】除湿効果が良好で、外気の直接混入を避けるロータリー式除湿器の提供。【解決手段】除湿区域５、冷却区域６、再生区域７及び外気混入区域８を設けたロータリー式除湿ローラー２を備え、除湿区域５に設けた除湿配管９は、材料タンク１０を通過して循環し、除湿配管９に冷却装置１２を設け、冷却区域６に設けた冷却配管１４は、除湿配管９に接続され、ロータリー式除湿ローラー２を通過した後、除湿配管９に接続されて循環し、再生区域７は冷却区域６に隣接し、再生区域７に設けた再生配管１５は、外気を吸い込み、ロータリー式除湿ローラー２を通過して外部に排出し、ロータリー式除湿ローラー２の上流側において再生配管１５にヒーター１８を設け、外気混入区域８に設けた外気混入配管１９は、外気をロータリー式除湿ローラー２に吸い込み、ロータリー式除湿ローラー２を通過した後に冷却配管１４と連絡される。【選択図】図３
0003194653.tif 000002
【実用新案登録請求の範囲】
【請求項１】
一側に駆動モーターを有し、その外面がケーシングによって覆われ、除湿区域と、冷却区域と、再生区域と、外気混入区域とを、気体が混入しないよう仕切って設けたロータリー式除湿ローラーを備え、
前記除湿区域には材料タンクに連絡する除湿配管が設けられ、該除湿配管は、前記材料タンクを通過してから前記ロータリー式除湿ローラーに戻って循環配管を形成し、前記材料タンクを通過した後、前記ロータリー式除湿ローラーの上流側において、前記除湿配管にはフィルタと、冷却装置と、ブロワーを設け、
前記冷却区域には冷却配管が設けられ、該冷却配管は、前記ロータリー式除湿ローラーの内部において前記除湿配管に接続され、前記ロータリー式除湿ローラーを通過した後、前記材料タンクの下流側、且つ、前記フィルタの上流側において、前記除湿配管に接続されて循環経路を形成し、
前記再生区域は前記冷却区域の一側に隣接して配置され、前記再生区域には再生配管が設けられ、該再生配管は、外気を吸い込み、前記ロータリー式除湿ローラーの再生区域を通過した後、外部に排出させ、前記再生区域の上流側において、前記再生配管にはフィルタとブロワーとヒーターを設け、
前記外気混入区域には外気混入配管が設けられ、該外気混入配管は、外気を前記ロータリー式除湿ローラーに吸い込み、ロータリー式除湿ローラーを通過した後に前記冷却配管と連絡され、
前記外気混入区域を設けたことにより、前記ロータリー式除湿ローラーが短時間で湿度を降下させることを特徴とする、ロータリー式除湿器。
【請求項２】
前記ロータリー式除湿ローラーに進入する前の前記外気混入配管にフィルタと、冷却装置が設けられていることを特徴とする、請求項１記載のロータリー式除湿器。
【請求項３】
前記材料タンクに代えて、上下左右を壁で囲まれて密閉された除湿空間を設けたことを特徴とする、請求項１記載のロータリー式除湿器。
【請求項４】
前記ロータリー式除湿ローラーは、順を追って、前記除湿区域、前記冷却区域、前記再生区域、前記外気混入区域、前記除湿区域と循環するよう回転することを特徴とする、請求項１記載のロータリー式除湿器。
【請求項５】
前記外気混入区域を前記除湿区域と前記再生区域との間に設けたことを特徴とする、請求項１記載のロータリー式除湿器。
【考案の詳細な説明】
【技術分野】
【０００１】
本考案は、空間または容器の除湿と乾燥に用いるロータリー式除湿器に関する。
【背景技術】
【０００２】
従来のプラスチック材料の除湿を行うロータリー式除湿器は、図１及び図２に示すように、除湿区域０００１と、再生区域０００２と、冷却区域０００３に区画され、ケーシングで被覆された除湿ローラー０００４を備える。また、除湿ローラー０００４は、モーター０００５を用いて減速機を介して駆動される。
除湿区域０００１には配管０００６を設け、除湿ローラー０００４の一端面から外部に延びた配管０００６は原料タンク０００７を通過した後に除湿ローラー０００４の他端面と連絡されている。原料タンク０００７を通過した後、除湿ローラー０００４の上流側において配管０００６にフィルタ０００８と、冷却装置０００９と、ブロワー００１０を設置すると共に、除湿ローラー０００４の出口側端部において、ケーシング内部の配管０００６に冷却パイプ００１１を連結する。冷却パイプ００１１は、除湿ローラー０００４を通過した後、冷却装置０００９とフィルタ０００８の間で配管０００６に接続されて冷却区域０００３の循環配管を構成する。
【０００３】
さらに、再生区域０００２に配管００１２を設けて、配管００１２にフィルタ００１３と、ブロワー００１４と、ヒーター００１５を設ける。ブロワー００１４によって外気を吸い込み、フィルタ００１３とヒーター００１５を通過した後、除湿ローラー０００４の一側に送り込み、除湿ローラー０００４の他側から排出する。
原料タンク０００７は、順を追って、除湿区域０００１、再生区域０００２、冷却区域０００３、除湿区域０００１と循環するよう回転する。稼働プロセスは、除湿ローラー０００４の出口から排出される乾燥空気を原料タンク０００７（または空間）に送り込み、原料の湿気を吸い取った後に冷却装置０００９によって温度を引き下げて除湿ローラー０００４に搬送し、引き続き再生区域０００２に搬送し、配管００１２を通る高熱空気を用いて除湿ローラー０００４内で水気を除去する。さらに、除湿ローラー０００４の冷却区域０００３によって温度を引き下げた後に除湿区域０００１に戻って水分を吸収する。
【考案の概要】
【考案が解決しようとする課題】
【０００４】
このような従来のロータリー式除湿器では、冷却区域０００３で低温空気流路を利用して温度を引き下げるのに大量な電気が消費されると共に、冷却区域０００３の出口温度が８０℃〜９０℃の高温を有するにもかかわらず、この高温が利用されずに無駄になっている。さらに、高温の空気を冷却装置０００９に搬送して温度を引き下げさせることは、冷却装置０００９の消費電力をさらに増大し二重の浪費となる。
このほかに、除湿区域０００１の配管には必ず漏れが発生する。その理由は、配管の接続箇所または材料の出入り口の設置が不可欠だからであり、これらの場所からの漏れによって除湿効果が低下する。除湿効果を高めるためにパワーを増大すれば、電気消費が大きくなり、除湿区域の乾燥度が所定の範囲内に収まれないか、または湿度が不安定な状況を引き起こして瑕疵製品を発生し、作り直す必要があり、人力と資材の浪費となる。
本考案が解決しようとする課題は、上述の問題を解決し、除湿効果が良好で、湿度に影響する外気の直接混入を避けることができるロータリー式除湿器を提供することにある。
【課題を解決するための手段】
【０００５】
本考案のロータリー式除湿器は、一側に駆動モーターを有し、その外面がケーシングによって覆われ、除湿区域と、冷却区域と、再生区域と、外気混入区域とを、気体が混入しないよう仕切って設けたロータリー式除湿ローラーを備え、前記除湿区域には材料タンクに連絡する除湿配管が設けられ、該除湿配管は、前記材料タンクを通過してから前記ロータリー式除湿ローラーに戻って循環配管を形成し、前記材料タンクを通過した後、前記ロータリー式除湿ローラーの上流側において、前記除湿配管にはフィルタと、冷却装置と、ブロワーを設け、前記冷却区域には冷却配管が設けられ、該冷却配管は、前記ロータリー式除湿ローラーの内部において前記除湿配管に接続され、前記ロータリー式除湿ローラーを通過した後、前記材料タンクの下流側、且つ、前記フィルタの上流側において、前記除湿配管に接続されて循環経路を形成し、前記再生区域は前記冷却区域の一側に隣接して配置され、前記再生区域には再生配管が設けられ、該再生配管は、外気を吸い込み、前記ロータリー式除湿ローラーの再生区域を通過した後、外部に排出させ、前記ロータリー式除湿ローラーの上流側において、前記再生配管にフィルタとブロワーとヒーターを設け、前記外気混入区域には外気混入配管が設けられ、該外気混入配管は、外気を前記ロータリー式除湿ローラーに吸い込み、外気混入区域を通過した後に前記冷却配管と連絡され、前記外気混入区域を設けたことにより、前記ロータリー式除湿ローラーが短時間で湿度を降下させる。
【０００６】
前記ロータリー式除湿ローラーに進入する前の外気混入配管にフィルタと、冷却装置が設けられていることは望ましい。
前記材料タンクに代えて、上下左右を壁で囲まれて密閉された除湿空間を設けてもよい。
好ましくは、前記ロータリー式除湿ローラーは、順を追って、前記除湿区域、前記冷却区域、前記再生区域、前記外気混入区域、前記除湿区域と循環するよう回転する。
前記外気混入区域を前記除湿区域と前記再生区域との間に設けるとよい。
【考案の効果】
【０００７】
本考案は、ロータリー式除湿ローラーに外気が吸い込まれる外気混入区域を設けたので、空間または容器内を短時間で効率良く除湿でき、除湿に要するエネルギーが少なくて済み、環境に対する悪影響も低減できる。
【図面の簡単な説明】
【０００８】
【図１】従来例に係る除湿ローラーの概略平面図である。
【図２】従来例を示すロータリー式除湿器の概略側面図である。
【図３】本考案の実施例を示すロータリー式除湿器の概略側面図である。
【図４】本考案の実施例に係る除湿ローラーの概略平面図である。
【図５】本考案の別の実施例を示すロータリー式除湿器の概略側面図である。
【考案を実施するための形態】
【０００９】
以下、本考案の実施例を図面に基づいて詳細に説明する。
図３に示すように、本考案のロータリー式除湿器１は、空間または容器の除湿と乾燥に用いられ、除湿を主な目的とするロータリー式除湿ローラー２を含む。ロータリー式除湿ローラー２では主に乾燥剤を用いて水分の除去が行われる。
ロータリー式除湿ローラー２の一側にロータリー式除湿ローラー２を駆動する駆動モーター３が設けられ、ロータリー式除湿ローラー２の外面はケーシング４によって覆われている。
【００１０】
図４に示すように、ロータリー式除湿ローラー２には、除湿区域５と、冷却区域６と、再生区域７と、外気混入区域８とが、気体の混入を避けるよう仕切られて設けられる。それぞれの区域の温度は一様ではなく、一例として、除湿区域５が約１２〜４０℃、再生区域７が約１００〜１８０℃など、環境及び処理物の種類に応じて設定できる。
また、ロータリー式除湿ローラー２は、順を追って、除湿区域５、冷却区域６、再生区域７、外気混入区域８、除湿区域５と循環するよう回転する。
【００１１】
ロータリー式除湿ローラー２の除湿区域５に除湿配管９を設ける。除湿配管９は、ロータリー式除湿ローラー２の一端から外部に延びて材料タンク１０に連絡され、再びロータリー式除湿ローラー２の他端に戻って気体が循環する配管を形成する。材料タンク１０の下流側、且つロータリー式除湿ローラー２の上流側において、除湿配管９に、気体戻りフィルタ１１と、冷却装置１２と、ブロワー１３を設け、ブロワー１３によって、除湿配管９内部の流体を搬送し流動させ、フィルタ１１によって小さい粒子物の流入を阻止し、冷却装置１２によって冷却させ温度を引き下げた後はロータリー式除湿ローラー２に搬送して除湿される。冷却装置１２及びフィルタ１１の位置は、ブロワー１３の上流側または下流側のいずれであっても良く、冷却装置１２及びフィルタ１１の数については必要に応じて決めることができる。
また、材料タンク１０は乾燥容器であり、内部に除湿材料が収容されている。
【００１２】
冷却区域６には冷却配管１４が設けられる。冷却配管１４は、ロータリー式除湿ローラー２の入口部において、外側のケーシング４であるタンクの底部に配置された除湿配管９に連結され、ロータリー式除湿ローラー２を通過した後、材料タンク１０の下流側、且つ、フィルタ１１の上流側で除湿配管９に接続されて循環構造を形成する。冷却区域６の主な目的は、除湿区域５の除湿配管９内部の流体を分流させ、除湿ローラーの温度を引き下げて吸湿効果を向上することである。
【００１３】
再生区域７は、冷却区域６の一側に隣接して設けられ、再生区域７には外気を吸い込む再生配管１５を設けられる。再生配管１５は、外気をロータリー式除湿ローラー２に吸い込んで、ロータリー式除湿ローラー２の再生区域７を通過した後に、外部に排出する。再生区域７の上流側において、再生配管１５には、フィルタ１６と、ブロワー１７と、ヒーター１８とがこの順で設けられている。
再生区域７を設ける目的は、ブロワー１７によって外気を吸い込み、フィルタ１６で不純物を濾過した後に、ヒーター１８を用いて加熱し、引き続きロータリー式除湿ローラー２の再生区域７に搬送して、除湿プロセスによって流体中に吸い取られた水分を高温乾燥空気によって除去させることにある。
【００１４】
外気混入区域８は、除湿区域５と再生区域７との間に独立して設けられ、外気混入配管１９を有する。外気混入配管１９は、外気をロータリー式除湿ローラー２に吸い込み、ロータリー式除湿ローラー２を通過した後に冷却配管１４に連絡される。ロータリー式除湿ローラー２の上流側において外気混入配管１９にフィルタ２０と冷却装置２１が設けられ、外気混入配管１９を通して外気をロータリー式除湿ローラー２に吸い込むことにより、システムの除湿効果が大きく向上し、材料タンク１０内部の原料の湿度を素早く除去させ、生産量を増加させると共に、ロータリー式除湿ローラー２の機能を最大に発揮し、空間の浪費は無く、しかも省電力であり、省エネとカーボン排出の軽減効果を発揮する。
【００１５】
各配管によるロータリー式除湿ローラー２への気体の供給及び排出は、ロータリー式除湿ローラー２の両端面と管の開口端部とを接触させることにより行われる。
また、ロータリー式除湿器１は、順を追って、除湿区域５、冷却区域６、再生区域７、外気混入区域８、除湿区域５と循環するよう回転される。
外気混入区域８によって外気をロータリー式除湿ローラー２に吸い込み、他の空間の空気ロスをバランスさせ、湿度を降下させることができるため、良品率が向上する。
【００１６】
なお、図５に示すように、材料タンク１０を、上下左右が壁で囲まれて密閉された除湿空間２２を変更しても良い。
本考案によれば、システム設計が優れているほかに、消費エネルギーが少なくて済み、カーボン排出量をも軽減できる。
【符号の説明】
【００１７】
１            ロータリー式除湿器
２            ロータリー式除湿ローラー
３            モーター
４            ケーシング
５            除湿区域
６            冷却区域
７            再生区域
８            外気混入区域
９            除湿配管
１０            材料タンク
１１            フィルタ
１２            冷却装置
１３            ブロワー
１４            冷却配管
１５            再生配管
１６            フィルタ
１７            ブロワー
１８            ヒーター
１９            外気混入配管
２０            フィルタ
２１            冷却装置
２２            除湿空間
【図１】
0003194653.tif 000003
【図２】
0003194653.tif 000004
【図３】
0003194653.tif 000005
【図４】
0003194653.tif 000006
【図５】
0003194653.tif 000007